(57)【特許請求の範囲】
【請求項１】
本体には給水又は給湯配管が接続されるとともに、本体から分岐した複数の枝配管を備え、給水又は給湯配管から供給される水又は湯を枝配管に分岐して供給するためのヘッダーであって、
前記本体を枝配管の部分に対応して複数に分割形成した分割部より構成し、各分割部の一端には雄ねじを設け他端には雌ねじを設け、雄ねじと雌ねじとの螺合関係により各分割部を連結し、かつ雄ねじと雌ねじとの螺入又は螺退により各分割部を回動可能に構成するとともに、各分割部の一端には環状溝を形成するとともに他端には規制部材を配設し、各分割部を連結したとき、規制部材の少なくとも一部が環状溝内に突出するように構成され、一方の分割部を他方の分割部に対して螺入又は螺退したとき、規制部材が環状溝の一方の内側壁と係合し且つ同環状溝の他方の内側壁と離間することによって各分割部の回動を規制するように構成した可動式分割型ヘッダー。
【請求項２】
前記本体には固定部を備え、各分割部はその固定部に対して回動可能に支持されるように構成した請求項１に記載の可動式分割型ヘッダー。
【請求項３】
前記規制部材は、分割部の他端のねじ孔に螺入されるビスであり、前記各分割部は、前記ビスを前記ねじ孔に螺入して同ビスの先端と前記環状溝の内底壁とを接触させることによって位置決めされる請求項１又は請求項２に記載の可動式分割型ヘッダー。
【請求項４】
前記規制部材は、分割部の他端のねじ孔に螺入されるビスであり、前記環状溝の幅をビスの直径と雄ねじのワンピッチ分とを合計した値とほぼ等しくなるように設定した請求項１〜３のいずれか一項に記載の可動式分割型ヘッダー。
【発明の詳細な説明】
【０００１】
【発明の属する技術分野】
この発明は、複数の枝配管が個々に回動可能に構成され、建築物内部の流し台や洗面化粧台等の複数の水栓器具に水又は湯を分岐して供給するための可動式分割型ヘッダーに関するものである。
【０００２】
【従来の技術】
従来、建築物内部の流し台や洗面化粧台等の複数の水栓器具に水又は湯を分岐して供給するための給水又は給湯配管構造は、次に示すような構成となっている。すなわち、建築物の外部で配管される上水配管には壁の外で上方へ延びる縦管が接続され、この縦管には壁の内側に引き込まれる引き込み配管が接続されている。引き込み配管はその他端が２つに分岐され、給水配管及び給湯配管とされている。給水配管はそのまま建築物内に引き込まれて水を供給し、給湯配管は給湯器を介して建築物内に引き込まれて湯を供給している。そして、給水及び給湯配管は建築物の壁の内側等においてそれぞれヘッダーに接続され、これらヘッダーを介して各水栓器具に水及び湯を分岐して供給するようになっている。
【０００３】
ヘッダーは金属により円筒状に形成され、水平方向に延びるように配置されるとともに、その両端部に設けられた支持部を介してねじ等により壁に固定されている。ヘッダーの一端部には前述の給水又は給湯配管が接続され、ヘッダー内に水又は湯が供給されるとともに、他端部はヘッダーキャップによって閉塞され、止水されている。ヘッダーの周面下部には、円筒状をなす複数の枝配管接続部が垂下され、各枝配管接続部には各水栓器具とヘッダーとを連結する枝配管が接続されている。そして、ヘッダー内へと供給された水又は湯は、各枝配管接続部及び枝配管を介して各水栓器具に供給されるようになっている。
【０００４】
【発明が解決しようとする課題】
ところが、この従来のヘッダーによれば、各枝配管接続部はヘッダーに対して一定の方向に向かうように設けられている。これに対して、ヘッダーと連結される各水栓器具はヘッダーに対して一定方向に位置しているわけではなく、その場合各枝配管をヘッダーの上下又は左右から各枝配管接続部に合わせて位置調整しながら曲げて接続しなければならない。このため、枝配管の接続作業が煩雑なものとなり、作業時間が長くなるという問題があった。しかも、曲げた箇所に曲げ応力が継続的に作用し、枝配管が枝配管接続部から外れたり、曲げた箇所が損傷を受けるおそれがあるという問題があった。
【０００５】
この発明は、このような従来の技術に存在する問題点に着目してなされたものである。その目的とするところは、枝配管の方向に対応させて枝配管の接続作業を簡易かつ速やかに行うことができるとともに、その接続を確実に行うことができる可動式分割型ヘッダーを提供することにある。
【０００６】
【課題を解決するための手段】
上記の目的を達成するために、請求項１に記載の可動式分割型ヘッダーの発明は、本体には給水又は給湯配管が接続されるとともに、本体から分岐した複数の枝配管を備え、給水又は給湯配管から供給される水又は湯を枝配管に分岐して供給するためのヘッダーであって、前記本体を枝配管の部分に対応して複数に分割形成した分割部より構成し、各分割部の一端には雄ねじを設け他端には雌ねじを設け、雄ねじと雌ねじとの螺合関係により各分割部を連結し、かつ雄ねじと雌ねじとの螺入又は螺退により各分割部を回動可能に構成するとともに、各分割部の一端には環状溝を形成するとともに他端には規制部材を配設し、各分割部を連結したとき、規制部材の少なくとも一部が環状溝内に突出するように構成され、一方の分割部を他方の分割部に対して螺入又は螺退したとき、規制部材が環状溝の一側壁と係合し且つ同環状溝の他側壁と離間することによって各分割部の回動を規制するように構成したものである。
【０００７】
請求項２に記載の可動式分割型ヘッダーの発明は、請求項１に記載の発明において、前記本体には固定部を備え、各分割部はその固定部に対して回動可能に支持されるように構成したものである。
【０００８】
請求項３に記載の可動式分割型ヘッダーの発明は、請求項１又は請求項２に記載の発明において、前記規制部材は、分割部の他端のねじ孔に螺入されるビスであり、前記各分割部は、前記ビスを前記ねじ孔に螺入して同ビスの先端と前記環状溝の内底壁とを接触させることによって位置決めされたものである。
請求項４に記載の可動式分割型ヘッダーの発明は、請求項１〜３のいずれか一項に記載の発明において、前記規制部材は、分割部の他端のねじ孔に螺入されるビスであり、前記環状溝の幅をビスの直径と雄ねじのワンピッチ分とを合計した値とほぼ等しくなるように設定したものである。
【０００９】
【発明の実施の形態】
以下、この発明の実施形態を、図面に基づいて詳細に説明する。
図１に示すように、一方の固定部を構成する給水ソケット１２は円筒状をなし、その内周面には雌ねじ１２ａが螺刻されるとともに、図中に２点鎖線で示す給水又は給湯配管３０が一端側からその内側に接続されるようになっている。他方の固定部を構成するキャップ１３は有蓋円筒状に形成され、一端からは雄ねじ部１３ａが突出形成されるとともに、他端は閉塞されている。固定部を構成する脚部１４は給水ソケット１２及びキャップ１３外周面から延出されてＴ字状に形成されるとともに、先端面には上下一対の挿通孔１４ａが貫設されている。そして、これら挿通孔１４ａにねじを挿通し、図示しない被取付部としての壁にねじ込むことによって、両固定部は壁に固定されている。
【００１０】
図１及び図２に示すように、分割部を構成する通水筒２２は円筒状に形成され、キャップ１３側端部の内周面に雌ねじ２２ａが螺刻されるとともに、給水ソケット１２側端部からは接続部２３が円筒状に延出形成されている。接続部２３はその外径が通水筒２２の外径よりも小さい円筒状に形成され、先端周面には雄ねじ２３ａが螺刻されるとともに、この雄ねじ２３ａより基端側の外周面には環状凹部２３ｂが設けられている。そして、Ｏ−リング２４がこの環状凹部２３ｂに嵌め込まれている。また、接続部２３の基端外周面には回転規制手段を構成する環状溝２５が所定深さ及び幅となるように凹設されている。
【００１１】
複数の通水筒２２は、一方の通水筒２２の接続部２３を他方の通水筒２２の一端側からその内側に挿入し、一方の雄ねじ２３ａと他方の雌ねじ２２ａとを螺合することによって互いに連結されている。この状態で、通水筒２２の内周面とＯ−リング２４とが密接することにより、連結部分からの漏水が防止されている。
【００１２】
通水筒２２の一端周面には、ねじ孔としてのビス孔２２ｂが貫設され、このビス孔２２ｂには回転規制手段を構成する規制部材としてのビス２６が螺入されている。ビス２６の先端は通水筒２２を連結した状態で前記環状溝２５内に位置するようになっている。また、環状溝２５は、その幅がビス２６の直径と接続部２３の雄ねじ２３ａのワンピッチとを合計した値とほぼ等しくなるように設定されている。そして、各通水筒２２は一方の雄ねじ２３ａを他方の雌ねじ２２ａに対して螺入又は螺退させることによって、元の位置から一回転のみ回動できるようになっている。
【００１３】
図３（ａ）に示すように、一方の通水筒２２を他方の通水筒２２に対して所定位置まで螺入した状態で、ビス２６先端の周面は環状溝２５の一側壁２５ａと係合され、他方の通水筒２２に対する一方の通水筒２２のこの状態からの螺退を規制している。そして、図３（ｂ）に示すように、一方の通水筒２２を他方の通水筒２２に対して、所定位置から螺入すると、雄ねじ２３ａのワンピッチ分、つまり一回転だけ回動された位置で、ビス２６先端の周面は環状溝２５の他側壁２５ｂと係合され、他方の通水筒２２に対する一方の通水筒２２のこの位置からの螺入を規制するようになっている。
【００１４】
各通水筒２２は、例えば１８０゜だけ回動させる場合等、その回動が一回転未満で止められる場合には、ビス２６先端は環状溝２５の両側壁２５ａ、２５ｂと係合しない箇所に位置している。この状態で、ビス２６を螺入し、ビス２６先端を環状溝２５の内底壁２５ｃに接触させることによって、各通水筒２２は回動した後の状態で位置決めされるようになっている。
【００１５】
図１及び図２に示すように、枝配管接続部２７は円筒状に形成され、通水筒２２の軸線方向と直交するように上方又は下方に突出形成されている。この枝配管接続部２７の内部は通水筒２２の内部に連通されている。そして、枝配管接続部２７の先端には、図１に２点鎖線で示すように、枝配管３１の一端が接続されるようになっている。
【００１６】
可動式分割型ヘッダーは、給水ソケット１２とキャップ１３との間に連結された複数の通水筒２２が支持されることによって構成されている。すなわち、給水ソケット１２の内側には連結された通水筒２２の内、最も給水ソケット１２寄りに配置された通水筒２２の接続部２３が螺入され、連結されている。キャップ１３は、その雄ねじ１３ａが最もキャップ１３寄りに配置された通水筒２２の雌ねじ２２ａに螺入され、連結されている。これら通水筒２２は、給水ソケット１２及びキャップ１３に対して螺入又は螺退することにより回動可能となっている。
【００１７】
ヘッダー本体は、給水ソケット１２に対して、給水ソケット１２側から順番に５つの通水筒２２を連結した後、キャップ１３を通水筒２２に螺合し、給水ソケット１２及びキャップ１３を脚部１４を介して壁に固定することによって組み立てられるようになっている。また、各通水筒２２を連結する際には、それぞれのビス孔２２ｂと環状溝２５とが位置合わせされ、ビス２６が各ビス孔２２ｂに螺入されるようになっている。そして、給水又は給湯配管３０は壁に固定された状態のヘッダーの給水ソケット１２に接続されている。
【００１８】
各枝配管３１は、その延びる方向に対応して各通水筒２２が回動された後、各枝配管接続部２７に接続されている。複数の通水筒２２のうち、給水ソケット１２側の２つの通水筒２２は、各枝配管接続部２７が上向きとなるように回動され、各枝配管３１が上方向から各枝配管接続部２７に接続されている。また、キャップ１３側の３つの通水筒２２は、各枝配管接続部２７が下向きとなるように回動され、各枝配管３１が下方向から各枝配管接続部２７に接続されている。この状態でビス２６を締め付けることにより、各通水筒２２は回動された状態で位置決めされている。
【００１９】
そして、給水又は給湯配管３０により給水ソケット１２を介してヘッダー内に供給された水又は湯はキャップ１３により止水されるとともに、各通水筒２２内を通って各枝配管接続部２７内に分岐される。さらに、各枝配管接続部２７に分岐された水又は湯は各枝配管３１に供給され、各枝配管３１を通って建築物内の各水栓器具に供給されるようになっている。
【００２０】
前記実施形態の可動式分割型ヘッダーの作用について以下に記載する。
さて、実施形態の可動式分割型ヘッダーを組み立てる際には、まず、給水ソケット１２に通水筒２２の接続部２３を挿入し、給水ソケット１２の雌ねじ２２ａに接続部２３の雄ねじ２３ａを螺合させる。次いで、給水ソケット１２に螺合された通水筒２２に別の通水筒２２を連結する。このとき、通水筒２２の連結は、それぞれのビス孔２２ｂと環状溝２５とが位置合わせされるまで接続部２３を通水筒２２内に螺入した後、ビス２６が各ビス孔２２ｂに螺入されることによって行われる。
【００２１】
図３（ａ）に示すように、まず最初に、ビス２６はビス孔２２ｂに螺入されたとき、その先端の周面は環状溝２５の一側壁２５ａに係合され、一方の通水筒２２は他方の通水筒２２に対してこの位置からの螺退が規制される。次いで、一方の通水筒２２を他方の通水筒２２に対して螺入させると、図３（ｂ）に示すように、ビス２６は雄ねじ２３ａのワンピッチ分だけ移動されたとき、その先端周面は環状溝２５の他側壁２５ｂに係合され、この位置からの螺入が規制される。そして、ビス２６の雄ねじ２３ａに対するワンピッチ分の移動は、通水筒２２の一回転に対応するため、各通水筒２２の回動が一回転内に規制される。
【００２２】
給水ソケット１２側の２つの通水筒２２は枝配管３１の方向に対応して、枝配管接続部２７が上向きとなるように回動される。そして、ビス２６が締め付けられ、ビス２６先端と環状溝２５の内底壁２５ｃとが接触されることにより、両通水筒２２は上向きとなる位置で位置決めされる。また、キャップ１３側の３つの通水筒２２は、枝配管３１の方向に対応して、枝配管接続部２７が下向きとなるように回動された後、ビス２６を締め付けることによって、各通水筒２２が下向きとなる位置で位置決めされる。
【００２３】
給水ソケット１２側の２つの通水筒２２が連結された後、キャップ１３側の３つの通水筒２２が同様に連結され、その後にキャップ１３が通水筒２２に螺合される。続いて、各水栓器具から延びる枝配管３１の方向に対応するように、給水ソケット１２及びキャップ１３に対して各通水筒２２が回動される。このとき、各通水筒２２間の相対的な回動は一回転内に規制されている。このように、各通水筒２２の回動が一回転内に規制されることで、螺入又は螺退による各通水筒２２同士の相対移動が規制される。このため、各通水筒２２間の距離が大きく変更されることによって給水ソケット１２とキャップ１３との間隔が拡がったり、過剰な回動による各通水筒２２の連結の解除が防止される。
【００２４】
その後、給水ソケット１２及びキャップ１３に設けられた脚部１４を介してヘッダーが壁に固定された後、その給水ソケット１２に給水又は給湯配管３０が接続される。そして、各枝配管接続部２７には建築物内の各水栓器具から延びる複数の枝配管３１が接続される。このとき、各通水筒２２は各枝配管接続部２７が各枝配管３１の方向に対応するように回動されていることから、各枝配管３１の接続が簡易かつ速やかに行われる。
【００２５】
前記実施形態によって発揮される効果について、以下に記載する。
・  実施形態の可動式分割型ヘッダーによれば、連結された複数の通水筒２２が給水ソケット１２及びキャップ１３に対して回動可能に支持されている。そして、建築物内の各所から延びる枝配管３１の方向に対応して、各通水筒２２を回動させて接続作業を行うように構成したことから、枝配管３１の接続作業を簡易かつ速やかに行うことができるとともに、その接続を確実に行うことができる。
【００２６】
・  実施形態の可動式分割型ヘッダーによれば、各通水筒２２の基端周面にビス孔２２ｂを貫設し、各通水筒２２の接続部２３に環状溝２５を設けるとともに、各通水筒２２を連結する際、ビス孔２２ｂにビス２６を螺入し、ビス２６の先端部が環状溝２５内に位置するように構成されている。
【００２７】
そして、一方の通水筒２２を他方の通水筒２２に対して螺退したときには、所定位置でビス２６の先端周面と環状溝２５の一側壁２５ａとが係合し、それ以上の螺退が規制されるようになっている。また、一方の通水筒２２を他方の通水筒２２に対して螺入したときには、所定位置でビス２６の先端周面と環状溝２５の他側壁２５ｂとが係合し、それ以上の螺入が規制されるようになっている。このように、ビス２６の先端周面と環状溝２５の内側壁２５ａ、２５ｂとが係合することにより、各通水筒２２間における回動を規制することができる。
【００２８】
・  実施形態の可動式分割型ヘッダーによれば、環状溝２５は、その幅がビス２６の直径と接続部２３の雄ねじのワンピッチとを合計した値とほぼ等しくなるように設定されている。このため、各通水筒２２間における回動を一回転内に規制することができる。
【００２９】
・  実施形態の可動式分割型ヘッダーによれば、ビス２６をビス孔２６ｂに螺入し、締め付けて、その先端と環状溝２５の内底壁２５ｃとを接触させることによって、各通水筒２２を回動した後、枝配管３１の方向に対応する位置で位置決めすることができる。
【００３０】
なお、前記実施形態は、次のように変更して具体化することも可能である。
・  前記実施形態において、規制部材はビス２６に限定されるものではなく、例えばボルト、ピン等としてもよい。
【００３１】
このように、規制部材をボルト、ピンとした場合においても通水筒２２の回転を規制する効果を得ることができる。
・  前記実施形態において、環状溝２５の幅はビス２６の直径と雄ねじ２３ａのワンピッチ分とを合計した値と等しい値に限定されず、目的に応じて、例えば雄ねじ２３ａの２分の１ピッチ又は１ピッチ以上としてもよい。
【００３２】
このように構成した場合、各分割部の回動範囲を目的に応じて設定することができる。
・  前記実施形態において、複数のビス孔２２ｂを穿設すること。さらにこのとき、ビス孔２２ｂは分割部の周囲において、対向する位置に穿設されているのが好ましい。
【００３３】
このように構成した場合、複数のビス２６によって分割部の回動を規制することができることから、分割部の回動をより一層効果的に抑制することができる。さらに、ビス孔２２ｂを分割部周囲の対向する位置に穿設した場合には、ビス２６によって環状溝２５に加えられる力を均衡させることができ、Ｏ―リング２４からの漏水を効果的に防止することができる。
【００３４】
・  前記実施形態において、例えば接続部２３の雄ねじ２３ａを省略し、環状溝２５の幅をビス２６の径より若干大きくなるように設定するとともに、各通水筒２２の基端周面に複数のビス孔２２ｂを等間隔に貫設してもよい。そして、各通水筒２２を連結する際、通水筒２２内に接続部２３を挿入し、複数のビス孔２２ｂにビス２６を螺入し、締め付けることによって、ビス２６先端と環状溝２５の内底壁２５ｃとを係合させ、各通水筒２２を連結するように構成してもよい。
【００３５】
このように構成した場合、各通水筒２２間を制限なく自由に回動することができる。
・  前記実施形態において、キャップ１３の雄ねじ部１３ａに接続部２３と同様の環状溝２５を設けるとともに、給水ソケット１２の周面には通水筒２２と同様のビス孔２２ｂを貫設し、給水ソケット１２及びキャップ１３とそれぞれに連結される各通水筒２２との間の相対的な回動を一回転内に規制してもよい。
【００３６】
このように構成した場合、給水ソケット１２及びキャップ１３と各通水筒２２との相対移動を規制し、給水ソケット１２及びキャップ１３と各通水筒２２との間隔が拡がったり、過剰な回動によって各通水筒２２の連結が解除されたりすることを防止することができる。
【００３７】
・  前記実施形態において、環状溝２５の内底壁２５ｃに凹凸又は小突起を設けること。
このように構成した場合、ねじ２６の先端と内底壁２５ｃとの係合状態をより強力にすることができる。
【００３８】
・  前記実施形態において、接続部２３を長く形成し、その基端側に固定部を設けることにより、各分割部を回動可能に支持すること。
このように構成した場合でも、各分割部は固定部によって確実に支持されていることから、安定した状態で取付けることができるうえ、各分割部を自由に回動させることができる。
【００３９】
・  前記実施形態において、給水ソケット１２及びキャップ１３の脚部１４を２つに分割し、そのうちの一方に長孔を穿設するとともに他方には長孔又は円孔を穿設し、両孔間にねじを挿入し、ナットで締め付けて固定するように構成すること。
【００４０】
このように構成した場合、例えばヘッダーの取付け位置に段差があったり、他の配管が通っていたりする場合等においても、固定部の長さを変更し、ヘッダーの壁に対する距離を調節することによって安定した状態で可動式分割型ヘッダーを取り付けることができる。
【００４１】
・  前記実施形態において、給水ソケット１２及びキャップ１３の少なくとも一方の挿通孔１４ａをヘッダーの長さ方向に対して平行な長孔とすること。
このように構成した場合、各分割部を回動させることによって、ヘッダーが長さ方向に伸縮するのに対応して、給水ソケット１２又はキャップ１３の位置を容易にずらすことができることから、ヘッダーの位置合わせを容易かつ確実に行うことができるうえ、僅かな設計変更に対して柔軟に対応することが可能である。
【００４２】
・  前記実施形態において、固定部を構成する脚部１４を省略し、床の上に置いた状態で各枝配管３１と接続して使用すること。
このように構成した場合、固定部を壁や床等に固定する作業にかかる手間等を大幅に省略することができるうえ、設置場所を容易に変更することが可能である。
【００４３】
・  前記実施形態において、固定部を構成する脚部１４を省略し、締付けバンド等を用いて壁や床に取り付けること。
このように構成した場合、固定部を壁や床等に固定する作業にかかる手間等を大幅に省略することができるうえ、設置場所を容易に変更することが可能である。
【００４４】
・  前記実施形態において、被取付部は壁に限定されるものではなく、例えば建築物の床、天井等であってもよい。
このように構成した場合、例えば設置場所が狭く、壁にヘッダーが取着できない場合においても、床、天井等にヘッダーを取付ける等、建築物の構造に合わせてヘッダーの取付け位置を最適な位置に設定することができる。
【００４５】
さらに、前記実施形態より把握できる技術的思想について以下に記載する。
（１）  前記ビスの先端は、螺入されることにより環状溝の内底壁に圧接されように構成した請求項３に記載の可動式分割型ヘッダー。
【００４６】
このように構成した場合、各分割部間の回動を確実に規制し、各枝配管接続部を任意の方向に向けた状態で確実に固定することができる。
（２）  前記分割部の一端には、前記雄ねじより基端側に漏水防止部材を配設した請求項１から請求項３又は前記（１）のいずれかに記載の可動式分割型ヘッダー。
【００４７】
このように構成した場合、漏水を確実に防止することができる。
（３）  前記固定部は、被固定部に対する距離を調節するための移動調節手段を備えた請求項２、請求項３、前記（１）又は前記（２）のいずれかに記載の可動式分割型ヘッダー。
【００４８】
このように構成した場合、例えばヘッダーの取付け位置に段差があったり、他の配管が通っていたりする場合等においても、固定部の長さを変更し、ヘッダーの壁に対する距離を調節することによって安定した状態で可動式分割型ヘッダーを取り付けることができる。
【００４９】
【発明の効果】
以上詳述したように、この発明によれば、次のような効果を奏する。
請求項１に記載の発明の可動式分割型ヘッダーによれば、枝配管の方向に対応させて枝配管の接続作業を簡易かつ速やかに行うことができるとともに、その接続を確実に行うことができる。
【００５０】
請求項２に記載の発明の可動式分割型ヘッダーによれば、請求項１に記載の発明の効果に加えて、枝配管の方向に対応させて枝配管の接続をより確実に行うことができる。
【００５１】
請求項３に記載の発明の可動式分割型ヘッダーによれば、請求項１又は２に記載の発明の効果に加えて、各分割部間の回動を確実に規制し、各枝配管を任意の方向に向けた状態で確実に固定することができる。
請求項４に記載の発明の可動式分割型ヘッダーによれば、請求項１〜３のいずれか一項に記載の発明の効果に加えて、枝配管の方向に対応させて枝配管の接続をさらに確実に行うことができる。
【図面の簡単な説明】
【図１】  実施形態の可動式分割型ヘッダーを示す分解斜視図。
【図２】  実施形態の可動式分割型ヘッダーの分割部を示す断面図。
【図３】  （ａ）は一方の分割部に対して他方の分割部を螺退した状態を示す部分拡大断面図、（ｂ）は同じく螺入した状態を示す部分拡大断面図。
【符号の説明】
１２…固定部を構成する給水ソケット、１３…固定部を構成するキャップ、１４…固定部を構成する脚部、２２…分割部を構成する通水筒、２２ａ…雌ねじ、２２ｂ…ねじ孔としてのビス孔、２３…分割部を構成する接続筒、２３ａ…雄ねじ、２５…環状溝、２５ａ、２５ｂ…環状溝の内側壁、２６…規制部材としてのビス、２７…分割部を構成する枝配管接続部、３０…給水又は給湯配管、３１…枝配管。
【図１】
0003936093.tif 000002
【図２】
0003936093.tif 000003
【図３】
0003936093.tif 000004